(57)【要約】【課題】  手摺と手摺が固定される建材部との間に設けられ、手摺を建材部に固定するための手摺ブラケットにおいて、本体部が破損して強度を失った場合でも、手摺ブラケットとしての機能を維持することができる。【解決手段】  ベース固定手段３ｃにより建材部２に固定されるベース部３ａと手摺固定手段３ｅにより手摺１を固定するブラケット部３ｂとが一体に成形された本体部３と、この本体部３に接合され、この本体部３を補強する補強部材４とを備え、補強部材４は、ベース固定手段３ｃによりベース部３ａと共に建材部２に固定されるとともに、手摺固定手段３ｅによりブラケット部３ｂと共に手摺１を固定する。【選択図】      図１
2005146742.tif 000002
【特許請求の範囲】
【請求項１】
手摺と手摺が固定される建材部との間に設けられ、手摺を建材部に固定するための手摺ブラケットであって、
ベース固定手段により建材部に固定されるベース部と手摺固定手段により手摺を固定するブラケット部とが一体に成形された本体部と、
この本体部に接合され、この本体部を補強する補強部材とを備え、
上記補強部材は、上記ベース固定手段によりベース部と共に建材部に固定されるとともに、上記手摺固定手段によりブラケット部と共に手摺を固定するものであることを特徴とする手摺ブラケット。
【請求項２】
上記ベース部と、上記ブラケット部とは、鋳物成形品で一体に構成されていることを特徴とする請求項１に記載の手摺ブラケット。
【請求項３】
上記補強部材は、プレス成形品で構成されていることを特徴とする請求項１または請求項２のいずれかに記載の手摺ブラケット。
【請求項４】
上記補強部材は、ベース部とブラケット部とにそれぞれ組み付けられることにより、ベース部とブラケット部とに接合されることを特徴とする請求項１ないし請求項３のいずれかに記載の手摺ブラケット。
【請求項５】
上記補強部材は、ベース部とブラケット部とに挿入された状態でベース部とブラケット部とともに一体に鋳物成形されることにより、ベース部とブラケット部とに接合されることを特徴とする請求項２ないし請求項３のいずれかに記載の手摺ブラケット。
【発明の詳細な説明】
【技術分野】
【０００１】
本発明は、手摺と手摺が固定される建材部との間に設けられ、手摺を建材部に固定するために採用される手摺ブラケットに関するものである。
【背景技術】
【０００２】
一般に、手摺と手摺が固定される建材部との間に設けられ、手摺を建材部に固定するために採用される手摺ブラケットとして、ベース固定手段により建材部に固定されるベース部と手摺固定手段により手摺を固定するブラケット部とが、一体に成形された本体部を備えたものが知られている。
【０００３】
例えば、特許文献１には、ネジにより壁材に固定される座部と、手摺を固定するアーム部とが、一体に成形された手摺ブラケット取付構造および手摺ブラケット取付方法の技術が開示されている。
【特許文献１】特開２００２−８１１８３号公報
【発明の開示】
【発明が解決しようとする課題】
【０００４】
しかしながら、上述の手摺ブラケット取付構造および手摺ブラケット取付方法の技術では、ベース部とブラケット部とが一体に成形された本体部が一旦、破損して強度を失った場合、手摺ブラケットの機能を維持することができないという不具合があった。
【０００５】
本発明は上記不具合に鑑みてなされたものであり、本体部が破損して強度を失った場合でも、手摺ブラケットとしての機能を維持することができる手摺ブラケットを提供することを課題としている。
【課題を解決するための手段】
【０００６】
上記課題を解決するための本発明は、手摺と手摺が固定される建材部との間に設けられ、手摺を建材部に固定するための手摺ブラケットであって、ベース固定手段により建材部に固定されるベース部と手摺固定手段により手摺を固定するブラケット部とが一体に成形された本体部と、この本体部に接合され、この本体部を補強する補強部材とを備え、上記補強部材は、上記ベース固定手段によりベース部と共に建材部に固定されるとともに、上記手摺固定手段によりブラケット部と共に手摺を固定するものであることを特徴とする手摺ブラケットである。
【０００７】
本発明によれば、本体部に接合される補強部材が、ベース固定手段によりベース部と共に建材部に固定され、手摺固定手段によりブラケット部と共に手摺を固定するので、本体部と補強部材とのいずれか一方が破損して強度を失っても他方により、手摺ブラケットとしての機能を維持することができる。
【０００８】
また、上記ベース部と、ブラケット部とは、鋳物成形品で一体に構成されていることが好ましい。
【０００９】
この好ましい態様によれば、ベース部と、ブラケット部とが、鋳物成形品で一体に構成されているので、多様な形状のベース部とブラケット部とを十分な強度で一体に成形することができる。
【００１０】
上記補強部材は、プレス成形品で構成されていることが好ましい。
【００１１】
この好ましい態様によれば、補強部材が、プレス成形品で構成されているので、安価に大量に補強部材を製作することができる。
【００１２】
上記補強部材は、ベース部とブラケット部とにそれぞれ組み付けられることによりベース部とブラケット部とに接合されることが好ましい。
【００１３】
この好ましい態様によれば、補強部材が、ベース部とブラケット部とにそれぞれ組み付けられることによりベース部とブラケット部とに接合されるので、手摺ブラケットの製作が容易であるとともに、必要に応じて破損した一方を他方から取り外し、新しい部品と交換することができる。
【００１４】
あるいは、上記補強部材は、ベース部とブラケット部とに挿入された状態でベース部とブラケット部とともに一体に鋳物成形されることにより、ベース部とブラケット部とに接合されることが好ましい。
【００１５】
この好ましい態様によれば、補強部材が、ベース部とブラケット部とに挿入された状態で接合されるので、補強部材が、鋳物成形品の外部に露出しない結果、手摺ブラケットの外観を損なうことがない。
【発明の効果】
【００１６】
以上説明したように、本発明によれば、本体部に接合される補強部材が、ベース固定手段によりベース部と共に建材部に固定され、手摺固定手段によりブラケット部と共に手摺を固定するので、本体部と補強部材とのいずれか一方が破損して強度を失っても他方により、手摺ブラケットとしての機能を維持することができるという顕著な効果を奏する。
【発明を実施するための最良の形態】
【００１７】
以下、添付図面を参照しながら本発明の好ましい実施の一形態について詳述する。図１は本発明の実施の形態に係る手摺ブラケット１０の構成を示す分解斜視図であり、図２は、手摺ブラケット１０の本体部３の構成を示す側面図である。また、図３は、手摺ブラケット１０の本体部３の構成を示す正面図であり、図４は、手摺ブラケット１０の本体部３の構成を示す上面図である。また、図５は、手摺ブラケット１０の補強部材４の構成を示す側面図であり、図６は、手摺ブラケット１０の補強部材４の構成を示す正面図である。そして、図７は、手摺ブラケット１０の補強部材４の構成を示す上面図である。
【００１８】
図１〜図７を参照して、図示の本発明の実施の形態に係る手摺ブラケット１０は、手摺１と手摺１が固定される建材部２（図２参照）との間に設けられ、手摺１を建材部２に固定するためのものであって、本体部３と、この本体部３に接合され、この本体部３を補強する補強部材４とを備えている。
【００１９】
上記手摺１は、本実施形態においては、廊下等の側方に歩行者の補助のために用いられるものであり、表面処理された断面円形の金属製パイプで構成されている。
【００２０】
上記建材部２は、廊下等の側方に設けられた壁を構成する部材であり、本実施形態においては、建物内装用の化粧合板が用いられている。
【００２１】
本体部３は、手摺ブラケット１０を建材部２に固定するために設けられたベース部３ａと、手摺１を手摺ブラケット１０に固定するために設けられたブラケット部３ｂとが一体となったものであり、アルミダイカストなどの鋳物成形品で一体に形成されている。
【００２２】
ここで、ベース部３ａは、４つのベース固定ねじ３ｃを挿通させるベース固定ねじ挿通孔３ｄを有するとともに、補強部材４に接合するベース部接合面３ｍを有している。
【００２３】
また、ブラケット部３ｂは、手摺１をブラケット部３ｂに固定するための３つの手摺固定ねじ３ｅを挿通させる手摺固定ねじ挿通孔３ｆを有するとともに、補強部材４に接合するブラケット部接合面３ｎを有している。
【００２４】
上記補強部材４は、本体部３に接合されて、本体部３を補強するための部材であり、鋼板などの金属板を本体部３の内面に位置するベース部接合面３ｍとブラケット部接合面３ｎとに嵌合する湾曲した形状にプレス成形したもので構成されている。
【００２５】
ここで、補強部材４は、ベース部３ａに設けられた突部３ｇに適合する形状の切欠き部３ｈを有しており、この切欠き部３ｈをベース部３ａに設けられた突部３ｇと嵌め合わせることにより、補強部材４の補強部材接合面４ａが、ベース部接合面３ｍとブラケット部接合面３ｎとに接合する位置に位置決めされるように構成されている。
【００２６】
そして、この補強部材４は、４つのベース固定ねじ３ｃを受けるベース固定ねじ受け座４ｂと、３つの手摺固定ねじ３ｅを受ける手摺固定ねじ受け座４ｃとを有している。そして、ベース部接合面３ｍとブラケット部接合面３ｎとに接合する位置に位置決めされた状態で、ベース固定手段であるベース固定ねじ３ｃを建材部２に設けた図略のねじ孔に螺合させることにより、ベース部３ａと共に建材部２に着脱可能に固定されるように構成されている。
【００２７】
また、この補強部材４は、手摺固定手段である手摺固定ねじ３ｅを手摺１に設けた図略のねじ孔に螺合させることにより、ブラケット部３ｂと共に手摺１に着脱可能に固定されるようになっている。
【００２８】
このように補強部材４は、ベース固定ねじ３ｃと手摺固定ねじ３ｅとを用いて、それぞれベース部３ａとブラケット部３ｂとに組み付けられることにより、ベース部３ａとブラケット部３ｂとにそれぞれ接合されている。
【００２９】
なお、補強部材４は、特に応力集中が発生する折り曲げ部に剛性を持たせるための補強構造４ｄ、４ｅをプレスにより形成している。
【００３０】
次に図１を参照して、本発明の実施の形態に係る手摺ブラケット１０の作用について説明する。
【００３１】
図１を参照して、本発明の実施の形態に係る手摺ブラケット１０は、手摺１と建材部２との間に設けられ、手摺１を建材部２に固定するが、図示のように、ベース部３ａは、ベース固定手段３ｃにより建材部２に固定され、ブラケット部３ｂは、手摺固定手段３ｅにより手摺１を固定する。
【００３２】
この時、補強部材４は、ベース固定手段３ｃによりベース部３ａと共に建材部２に固定されるとともに、手摺固定手段３ｅによりブラケット部３ｂと共に手摺１を固定する。そして、補強部材４は、ベース固定手段３ｃと手摺固定手段３ｅとによりベース部３ａとブラケット部３ｂとにそれぞれ組み付けられることによりベース部３ａとブラケット部３ｂを備えた本体部３に接合され、本体部３を補強する。
【００３３】
以上説明したように、本発明の実施の形態に係る手摺ブラケット１０によれば、本体部３に接合される補強部材４が、ベース固定手段３ｃによりベース部３ａと共に建材部２に固定され、手摺固定手段３ｅによりブラケット部３ｂと共に手摺１を固定するので、本体部３と補強部材４とのいずれか一方が破損して強度を失っても他方により、手摺ブラケット１０としての機能を維持することができる。
【００３４】
また、手摺ブラケット１０によれば、ベース部３ａと、ブラケット部３ｂとが、鋳物成形品で一体に構成されているので、多様な形状のベース部３ａとブラケット部３ｂとを十分な強度で一体に成形することができる。
【００３５】
また、手摺ブラケット１０によれば、補強部材４が、プレス成形品で構成されているので、安価に大量に補強部材４を製作することができる。
【００３６】
そして、このように、補強部材４が、ベース部３ａとブラケット部３ｂとにそれぞれ組み付けられることによりベース部３ａとブラケット部３ｂとに接合される場合は、手摺ブラケット１０の製作が容易であるとともに、必要に応じて破損した一方を他方から取り外し、新しい部品と交換することができる。
【００３７】
上述した実施の形態は本発明の好ましい具体例を例示したものに過ぎず、本発明は上述した実施の形態に限定されない。
【００３８】
例えば、手摺１は、必ずしも廊下等の側方に歩行者の補助のために用いられるものに限定されず、また、形状、材質も図示のような断面円形の表面処理された金属パイプで構成されたものに限定されない。階段等の側方に設けられたものでもよいし、また、木製の棒状部材で構成されたものでも適用可能である。
【００３９】
建材部２も、特に側方に設けられた壁に限らず、種々の建物に係る部材が適用可能である。また、材質も建物内装用の化粧合板に限らず、種々のものに変更可能である。
【００４０】
本体部３は、必ずしもアルミダイカストなどの鋳物成形品である必要はなく、硬質プラスチックの成形品も採用可能であるなど、種々の設計変更が可能である。
【００４１】
また、ベース固定手段３ｃと手摺固定手段３ｅとは、必ずしもねじによる取り付けに限らず、ボルト、ナットによる取り付けも採用可能であるなど、種々の設計変更が可能である。
【００４２】
補強部材４も、鋼板のプレス成形品に限定されない。本体部３に接合されて、本体部３を補強するために採用される部材であれば、硬質プラスチックの成形品も採用可能であるなど、種々の材料が可能である。
【００４３】
なお、本実施形態においては、手摺ブラケット１０の製作が容易であるとともに、必要に応じて破損した一方を他方から取り外し、新しい部品と交換することができるようにするために、補強部材４は、ベース部３ａとブラケット部３ｂとにそれぞれ組み付けられるように構成されているが、ベース部３ａとブラケット部３ｂとに挿入された状態でベース部３ａとブラケット部３ｂとともに一体に鋳物成形されることにより、ベース部３ａとブラケット部３ｂとに接合されるように構成してもよい。
【００４４】
その場合は、補強部材４が、ベース部３ａとブラケット部３ｂとに挿入された状態で接合されるので、補強部材４が、鋳物成形品の外部に露出しない結果、手摺ブラケット１０の外観を損なわないようにすることができる。
【００４５】
その他、本発明の特許請求の範囲内で種々の設計変更が可能であることはいうまでもない。
【図面の簡単な説明】
【００４６】
【図１】本発明の実施の形態に係る手摺ブラケットの構成を示す分解斜視である。
【図２】手摺ブラケットの本体部の構成を示す側面図である。
【図３】手摺ブラケットの本体部の構成を示す正面図である。
【図４】手摺ブラケットの本体部の構成を示す上面図である。
【図５】手摺ブラケットの補強部材の構成を示す側面図である。
【図６】手摺ブラケットの補強部材の構成を示す正面図である。
【図７】手摺ブラケットの補強部材の構成を示す上面図である。
【符号の説明】
【００４７】
１    手摺
２    建材部
３    本体部
３ａ  ベース部
３ｂ  ブラケット部
３ｃ  ベース固定手段（ベース固定ねじ）
３ｅ  手摺固定手段（手摺固定ねじ）
４    補強部材
１０  手摺ブラケット
【図１】
2005146742.tif 000003
【図２】
2005146742.tif 000004
【図３】
2005146742.tif 000005
【図４】
2005146742.tif 000006
【図５】
2005146742.tif 000007
【図６】
2005146742.tif 000008
【図７】
2005146742.tif 000009